【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
骨固定システムであって、
長手方向に沿って細長い骨インプラントを含み、該骨インプラントは、インプラント本体を含み、該インプラント本体は、上面、該長手方向に対して垂直な横断方向に沿って該上面から離間している骨対向表面、該横断方向に沿って該インプラント本体を貫通して延在する少なくとも１つの開口部を画定し、該少なくとも１つの開口部は内壁により画定されており、該内壁は、第１ワイヤセグメント及び第２ワイヤセグメントにより画定されており、該内壁の一部分は、該横断方向に沿って湾曲して、凸形状の外側表面を画定し、該内壁は、該凸形状の外側表面上に第１ねじ状領域を含み、
更に、該少なくとも１つの開口部を少なくとも部分的に貫通して下の骨へと挿入されるよう構成された少なくとも１つの骨固定エレメントを有し、該骨固定エレメントは、近位端と、中心軸に沿って遠位方向へ該近位端から離間している遠位端とを画定し、該骨固定エレメントは、該近位端に配置されているヘッドと、該ヘッドに対し該遠位端に向かって延在するシャフトとを画定し、該ヘッドは、第１隆起、該遠位方向に沿って該第１隆起から離間している第２隆起、並びに該第１隆起と該第２隆起との間に配置される溝を画定し、該溝は、ねじ状ではなく、該第１隆起と該第２隆起との間で該中心軸に向かって該ヘッド内に陥凹しており、該溝は、該内壁の少なくとも一部分を受容するよう構成され、これによって該第１隆起及び該第２隆起が、該骨固定エレメントを該骨インプラントに連結させ、
該第１隆起は、該中心軸に対して凸状であり、第１隆起頂点を有し、
該第２隆起は、該中心軸に対して凸状であり、該第１ねじ状領域にねじ係合するように構成された第２ねじ状領域を含む第２隆起外側表面を有し、
該骨固定エレメントは、該第２ねじ状領域が該第１ねじ状領域から係合を外され、かつ該第１ねじ状領域から該遠位方向に離間した状態で、該骨固定エレメントが該少なくとも１つの開口部を通じて挿入され得るように構成され、該第１ねじ状領域は、該溝に隣接して位置付けられ、該第１隆起頂点から該遠位方向に離間している、骨固定システム。
【請求項２】
前記第１ワイヤセグメント及び前記第２ワイヤセグメントはそれぞれ、実質的に円形の断面を有し、
該第１ワイヤの第１部分は、前記少なくとも１つの開口部の第１側を画定し、該第２ワイヤの第２部分は、該少なくとも１つの開口部の第２側を画定する、請求項１に記載の骨固定システム。
【請求項３】
前記溝の少なくとも一部分が、前記遠位方向に沿って凹状である、請求項１に記載の骨固定システム。
【請求項４】
前記溝の少なくとも一部分が、前記遠位方向に沿って直線状である、請求項１に記載の骨固定システム。
【請求項５】
骨インプラントを骨に連結するための骨固定エレメントであって、該骨固定エレメントが、近位端と、中心軸に沿って遠位方向に該近位端から離間している遠位端とを画定し、該骨固定エレメントが、
該近位端に配置されたヘッドと、該ヘッドに対し該遠位端に向かって延在するシャフトとを有する骨固定本体を含み、該ヘッドは、第１隆起、該遠位方向に沿って該第１隆起から離間している第２隆起、該第１隆起と該第２隆起との間に配置される溝を画定し、該溝は、該第１隆起と該第２隆起との間で該中心軸に向かって該ヘッド内に陥凹しており、該溝は、該遠位方向に沿って溝長さを有し、該溝長さに沿ってねじ状ではなく、かつ該骨インプラントの少なくとも一部分を受容して該骨固定エレメントを該骨インプラントに連結するよう構成されており、
該第１隆起は、該中心軸に対して凸状であり、第１隆起頂点を有し、該第１隆起は、ねじ状ではなく、
該第２隆起は、該中心軸に対して凸状であり、第２隆起ねじ状領域を含む第２隆起外側表面を有する、骨固定エレメント。
【請求項６】
前記第２隆起ねじ状領域より近位側の前記ヘッド上に、ねじ山がない、請求項５に記載の骨固定エレメント。
【請求項７】
前記溝の少なくとも一部分が、前記遠位方向に沿って湾曲している、請求項５に記載の骨固定エレメント。
【請求項８】
前記溝の少なくとも一部分が、前記遠位方向に沿って直線状である、請求項５に記載の骨固定エレメント。
【請求項９】
前記第１隆起は、ねじ状ではない、請求項１に記載の骨固定システム。
【請求項１０】
前記内壁は、前記長手方向に第２湾曲部分を含む、請求項１に記載の骨固定システム。
【請求項１１】
前記第１ねじ状領域は、前記第２湾曲部分に沿って延在する、請求項１０に記載の骨固定システム。
【請求項１２】
前記内壁は、前記第１ねじ状領域と前記上面との間に延在する直線部分を含む、請求項１に記載の骨固定システム。
【請求項１３】
前記第１隆起は、第１断面寸法を画定し、前記第２隆起は、該第１断面寸法以下の第２断面寸法を画定する、請求項１に記載の骨固定システム。
【請求項１４】
前記溝の少なくとも一部分が、前記遠位方向に沿って湾曲している、請求項１に記載の骨固定システム。
【請求項１５】
前記溝は、前記骨固定エレメントが前記少なくとも１つの開口部に挿入されたときに、該溝と前記内壁とがそれらの間に延在する隙間を画定するように構成されている、請求項１に記載の骨固定システム。
【請求項１６】
骨固定システムであって、
第１端と、長手方向に沿って該第１端から離間している第２端とを画定する骨プレートを含み、該骨プレートは、上面と、該上面に相対しかつ該長手方向に垂直な横断方向に沿って該上面から離間している骨対向表面とを画定するプレート本体を含み、該骨プレートは、第１ワイヤセグメント及び第２ワイヤセグメントを含み、該第１ワイヤセグメント及び該第２ワイヤセグメントはそれぞれ、該長手方向に沿って湾曲しており、かつ内壁を有し、該第１ワイヤセグメント及び該第２ワイヤセグメントの該内壁は、それぞれが該プレート本体を貫通して延在する複数の開口部を形成し、該複数の開口部のそれぞれを形成する該第１ワイヤセグメント及び該第２ワイヤセグメントそれぞれの該内壁の一部分が、該横断方向に沿って湾曲しており、該横断方向に沿って延在する第１ねじ状領域を有する凸形状の外側表面を画定し、
更に、該開口部のうちの１つを少なくとも部分的に貫通して下の骨へと挿入されるようにそれぞれが構成された、複数の骨固定エレメントを含み、該骨固定エレメントはそれぞれ、近位端と、中心軸に沿って遠位方向へ該近位端から離間している遠位端とを画定し、該骨固定エレメントはそれぞれ、該近位端に配置されたヘッドと、該ヘッドに対し該遠位端に向かって延在するシャフトとを有する骨固定本体を画定し、該ヘッドは、第１隆起、該遠位方向に沿って該第１隆起から離間している第２隆起、該第１隆起と該第２隆起との間に配置されるねじ状でない溝を画定し、該溝は、該第１隆起と該第２隆起との間で該中心軸に向かって該ヘッド内に陥凹しており、該溝は、該内壁の少なくとも一部分を受容して該骨固定エレメントを該骨インプラントに固定するよう構成されており、
該骨固定エレメントそれぞれの該第１隆起は、該中心軸に対して凸状であり、第１隆起頂点を有し、
該骨固定エレメントそれぞれの該第２隆起は、該中心軸に対して凸状であり、該第１ねじ状領域にねじ係合するように構成された第２ねじ状領域を含む第２隆起外側表面を有し、
該骨固定エレメントはそれぞれ、該第２ねじ状領域が該第１ねじ状領域から係合を外され、かつ該第１ねじ状領域から該遠位方向に離間した状態で、該骨固定エレメントが該開口部のうちの少なくとも１つを通じて挿入され得るように構成され、該第１ねじ状領域は、該ねじ状でない溝に隣接して位置付けられ、該第１隆起頂点から該遠位方向に離間している、骨固定システム。
【請求項１７】
前記内壁は突出部を画定し、前記第１ねじ状領域が該突出部の少なくとも一部分の上に配置されている、請求項１６に記載の骨固定システム。
【請求項１８】
前記内壁は、前記横断方向に沿って前記上面から前記突出部へと延在する第１陥凹と、該横断方向に沿って前記骨対向表面から前記突出部へと延在する第２陥凹とを画定し、該第１陥凹及び該第２陥凹は、それぞれ前記第１隆起及び前記第２隆起を受容するよう構成されている、請求項１７に記載の骨固定システム。
【請求項１９】
前記溝の少なくとも一部分が、前記横断方向に沿って直線状である、請求項１６に記載の骨固定システム。
【請求項２０】
前記溝の少なくとも一部分が、ねじ状である、請求項１６に記載の骨固定システム。